(57)【要約】【課題】一枚で二種類の建物壁のタイプそれぞれに対応して使用することができるボックスカバーを提供する。【解決手段】ボックスカバー１１は四角枠状をなす基板１０を備え、基板１０の枠部における第１基板面１１Ａには塗代部１３が設けられ、この塗代部１３は一定の厚みを有するように外方に向かって突設されている。一方、基板１０の枠部における第２基板面１１Ｂには、前記塗代部１３は形成されず、平板状をなしている。ボックスカバー１１には一対の取付部１４が設けられ、各取付部１４にはナットＮが配設されているとともに、該ナットＮに対し、基板１０の両面側から取付ビスを螺着可能になっている。そして、ボックスカバー１１における第１基板面１１Ａは、コンクリート壁に配線器具を設置する際に使用され、塗代部１３側が形成されていない第２基板面１１Ｂは、軽量間仕切り壁に配線器具を設置するために使用される。【選択図】      図３
2005253238.tif 000002
【特許請求の範囲】
【請求項１】
配線用ボックスの開口側に取り付けられるとともに、配線器具枠が取付けられて該配線器具枠に保持された配線器具を建物壁に設置するためのボックスカバーであって、
枠状をなす基板の枠部における一方の面に塗代部が一定の厚みを有するように立設されているとともに、前記枠部における他方の面が平板状に形成され、前記配線器具枠に挿通された取付ビスを、前記枠部におけるいずれの面側からも螺着可能とする取付部が基板に設けられていることを特徴とするボックスカバー。
【請求項２】
前記取付部には前記取付ビスが螺合可能なナットが配設され、該取付部は、前記ナットを枠部における両面側から挟持する構成を有することを特徴とする請求項１に記載のボックスカバー。
【請求項３】
前記ナットは取付部の成形時にインサート成形により該取付部内に配設されていることを特徴とする請求項２に記載のボックスカバー。
【請求項４】
前記ナットは取付部に設けられた凹部内に圧入されて前記取付部内に配設されていることを特徴とする請求項２に記載のボックスカバー。
【発明の詳細な説明】
【技術分野】
【０００１】
本発明は、配線器具を建物壁に設置するために配線用ボックスに取付けられて使用されるボックスカバーに関する。
【背景技術】
【０００２】
建物壁にコンセント等の配線器具を設置するには、有底四角箱状をなす配線用ボックスと、その配線用ボックスの開口側に取り付けられる枠状をなすボックスカバーとが使用される。前記ボックスカバーには、建物壁の一種であるコンクリート壁に配線器具を設置するときに使用されるタイプのものと、一対の壁材を立設して構築される建物壁である軽量間仕切り壁に配線器具を設置するときに使用されるタイプのものとが存在する。
【０００３】
前者のボックスカバー（コンクリート埋設タイプ）は、例えば特許文献１に示されるものがある。このボックスカバーは基板の前面に一定の厚みを有する器具取付部が設けられ、その器具取付部の内側に開口が形成されている。一方、後者のボックスカバー（壁内配設タイプ）は、その前面に前記器具取付部が設けられず、基板の枠部は平板状をなす。なお、壁内配設タイプのボックスカバーにおける開口は、前記コンクリート埋設タイプの開口より広く形成されている。
【０００４】
そして、コンクリート埋設タイプのボックスカバーを使用する場合には、まず、ボックスカバーが配線用ボックスの開口側に取付けられ、該配線用ボックスがボックスカバーとともにコンクリート壁に埋設される。ボックスカバーはコンクリート壁に埋設されると、器具取付部の前端面のみがコンクリート壁の壁面に露出し、その他の部位はコンクリート壁内に埋め込まれる。その後、配線器具を保持した配線器具枠から、塗代部に設けられた取付部に取付ビスが螺着されると、該配線器具枠がボックスカバーに取付けられるとともに、配線器具がコンクリート壁に設置される。
【０００５】
一方、壁内配設タイプのボックスカバーを使用する場合には、まず、建物内に立設された柱の側面に配線用ボックスが取付けられ、該配線用ボックスの開口側にボックスカバーが取付けられる。そして、配線用ボックスの前後両側に一対の壁材が立設されて軽量間仕切り壁が構築される。その後、ボックスカバーの前側の壁材が切除されてボックスカバーの開口周縁部が壁材の表側に臨まされる。配線器具を保持した配線器具枠から、基板に設けられた取付部にビスが螺着されると、該配線器具枠がボックスカバーに取付けられるとともに、配線器具が軽量間仕切り壁に設置される。
【０００６】
上記２タイプのボックスカバーにおいて、コンクリート埋設タイプのボックスカバーは、器具取付部が設けられていることによって、器具取付部以外の部位をコンクリート壁内に埋め込むことができ、コンクリート壁の壁面に配線器具設置用の最小限の大きさの開口を形成することが可能となる。また、コンクリート埋設タイプのボックスカバーは、コンクリート壁の構築時に、コンクリート打設圧によって枠部が変形等しないように、開口を該ボックスカバーの中央に形成してボックスカバーの剛性を低下させない構造となっている。
【０００７】
しかし、コンクリート埋設タイプのボックスカバーを軽量間仕切り壁用に使用すると、壁材の厚みに加え、立設部の厚み分だけ配線用ボックスが、壁材から離れることになる。これは、配線用ボックス内に配線器具がほとんど収容されない状態となり、コンクリート埋設タイプのボックスカバーは、軽量間仕切り用には適していない。
【０００８】
一方、壁内配設タイプのボックスカバーは、コンクリート埋設タイプと異なり、立設部が形成されず、平板状をなす。このため、壁内配設タイプのボックスカバーは、その前面を壁材の裏面に密接させた状態で配設することが可能となる。これは、該ボックスカバーを介した配線用ボックスを前記壁材に近づけることに繋がり、該配線用ボックス内に収容される配線器具の部位を多くすることに繋がる。
【０００９】
しかし、壁内配設タイプのボックスカバーは、基板のほぼ全体に開口が形成され、枠部の幅は、コンクリート埋設タイプの枠部の幅よりも狭くなっている。このため、壁内配設タイプのボックスカバーをコンクリート埋設用に使用すると、開口からコンクリートが配線用ボックス内に侵入したり、コンクリート打設圧によって枠部が変形等したりする虞がある。即ち、壁内配設タイプのボックスカバーは、コンクリート埋設用には適していない。従って、２タイプのボックスカバーには、使用するのに適した建物壁、使用するのに適さない建物壁があり、配線器具を設置する建物壁に応じてボックスカバーが使い分けられている。
【特許文献１】実開平１−１２３４１０号公報
【発明の開示】
【発明が解決しようとする課題】
【００１０】
ところが、配線器具の設置を行う作業者は、配線器具を設置しようとする建物壁のタイプ（コンクリート壁、軽量間仕切り壁）を予め考慮して、使用すべきボックスカバー（コンクリート埋設タイプ、壁内配設タイプ）を選択、準備しなくてはならず非常に煩わしいという問題があった。  
【００１１】
本発明は、上記従来技術に存在する問題点に着目してなされたものである。その目的とするところは、一枚で二種類の建物壁のタイプそれぞれに対応して使用することができるボックスカバーを提供することにある。
【課題を解決するための手段】
【００１２】
上記問題点を解決するために、請求項１に記載の発明は、配線用ボックスの開口側に取り付けられるとともに、配線器具枠が取付けられて該配線器具枠に保持された配線器具を建物壁に設置するためのボックスカバーであって、枠状をなす基板の枠部における一方の面に塗代部が一定の厚みを有するように立設されているとともに、前記枠部における他方の面が平板状に形成され、前記配線器具枠に挿通された取付ビスを、前記枠部におけるいずれの面側からも螺着可能とする取付部が基板に設けられていることを要旨とする。
【００１３】
請求項２に記載の発明は、請求項１に記載のボックスカバーにおいて、前記取付部には前記取付ビスが螺合可能なナットが配設され、該取付部は、前記ナットを枠部における両面側から挟持する構成を有することを要旨とする。
【００１４】
請求項３に記載の発明は、請求項２に記載のボックスカバーにおいて、前記ナットは取付部の成形時にインサート成形により該取付部内に配設されていることを要旨とする。
請求項４に記載の発明は、請求項２に記載のボックスカバーにおいて、前記ナットは取付部に設けられた凹部内に圧入されて前記取付部内に配設されていることを要旨とする。
【００１５】
（作用）
従って、請求項１に記載の発明によれば、枠部における一方の面又は他方の面を、配線用ボックスの前側に露出させて使用することができるように、枠部の両面側から取付部に取付ビスを螺着することができる。つまり、ボックスカバーは、塗代部が立設された一方の面を使用するのに適した建物壁に配線器具を設置するときに使用することができ、塗代部が立設されていない他方の面を使用するのに適した建物壁に配線器具を設置するときにも使用することができる。
【００１６】
請求項２に記載の発明によれば、請求項１に記載の発明において、ナットに対し取付ビスが螺合された状態で、該取付ビスを取付部から引き抜く方向への力が作用しても、ナットが取付部内で挟持されているため、ナットが取付部内で移動することが防止できる。
【００１７】
請求項３又は請求項４に記載の発明によれば、請求項２に記載の発明において、ナットを取付部内で確実に挟持することができる。
【発明の効果】
【００１８】
上記構成の請求項１〜請求項４のいずれか一項に記載のボックスカバーによれば、一枚で二種類の建物壁のタイプそれぞれに対応して使用することができる。
【発明を実施するための最良の形態】
【００１９】
以下、本発明を具体化した第１及び第２実施形態について説明する。なお、第２実施形態においては第１実施形態との相違点についてのみ説明する。
（第１の実施形態）
以下、本発明を具体化したボックスカバーの一実施形態を図１〜図５にしたがって説明する。
【００２０】
図１に示すように、ボックスカバー１１は、有底四角箱状をなす配線用ボックス１２の開口側に取付けられるものである。具体的に説明すると、合成樹脂製のボックスカバー１１は略四角枠状の基板１０を備え、該基板１０の中央部には開口１１ａが形成されている。開口１１ａはボックスカバー１１の上下に延びる正面視細長四角形状に形成されている。
【００２１】
図２（ａ）に示すように、基板１０の枠部における一方の面としての前面（第１基板面１１Ａ）において、前記開口１１ａの周縁部には細長四角枠状をなす塗代部１３が設けられ、この塗代部１３は一定の厚みを有するように外方に向かって突設されている。一方、図２（ｂ）に示すように、基板１０の枠部における他方の面としての後面（第２基板面１１Ｂ）において、前記開口１１ａの周縁部には、前記塗代部１３は形成されず、第２基板面１１Ｂは平板状をなしている。
【００２２】
図１に示すように、前記塗代部１３において、上下に相対向する一対の短辺の中央部には、それぞれ略筒状をなす取付部１４が設けられている。図３及び図３の拡大図に示すように、上側の取付部１４及び下側の取付部１４には、それぞれ凹部１４ａが凹設され、上側の取付部１４の凹部１４ａは、上方に向かって開放するように形成され、下側の取付部１４の凹部１４ａは、下方に向かって開放するように形成されている。各凹部１４ａ内にはナットＮが配設され、各ナットＮはそれぞれ凹部１４ａ内に圧入されて取付部１４内に設けられている。
【００２３】
各取付部１４において、ナットＮの前後両面は、それぞれ取付部１４内の挟持面１４ｃにより挟持されている。即ち、ナットＮの前後両面には、それぞれ挟持面１４ｃが当接し、該当接によってナットＮがその前後方向、言い換えれば取付部１４の前後方向へ移動することが規制されている。また、各取付部１４には挿通孔１４ｂが該取付部１４を貫通して形成され、挿通孔１４ｂの一端は、基板１０の第１基板面１１Ａ、即ち塗代部１３の前端面に開放され、挿通孔１４ｂの他端は、基板１０の第２基板面１１Ｂに開放されている。
【００２４】
図１並びに図２（ａ）の破線及び図２（ｂ）に示すように、ボックスカバー１１の各コーナ部よりも内側には、それぞれ開口１１ａの周方向に沿って円弧状に延びるノックアウト部１５が設けられている。第１基板面１１Ａ側においてはノックアウト部１５の周縁部に沿って切り込みが形成され、ノックアウト部１５自身はその厚みが基板１０におけるその他の部位より薄肉に形成されている。そのため、ノックアウト部１５はボックスカバー１１から打ち抜き除去可能になっている。各ノックアウト部１５には、それぞれノックアウト部１５を貫通して取付孔１５ａが一箇所ずつ穿設されている。
【００２５】
次に、前記配線用ボックス１２について説明する。図１に示すように、合成樹脂製の配線用ボックス１２は有底四角箱状に形成されている。配線用ボックス１２の上下に相対向する側壁の内面にはそれぞれボス部２２が設けられ、該ボス部２２はそれぞれ配線用ボックス１２の開口側に位置する。各ボス部２２にはボス孔２２ａが形成されている。続いて、図４に示す配線器具枠２３について説明する。金属製の配線器具枠２３は細長四角板状をなし、配線器具３０を取着可能な取着孔２３ａが２箇所に形成されている。また、配線器具枠２３の上下両端部にはビス孔２３ｂが穿設されている。
【００２６】
さて、上記構成のボックスカバー１１の使用方法について説明する。まず、コンクリート壁Ｗに配線器具３０を設置するためのボックスカバー１１の使用方法について説明する。図１に示すように、塗代部１３が配線用ボックス１２の前側に露出するようにして、一対の取付孔１５ａからボス孔２２ａにビス２４を挿通する。さらに、該ビス２４をボス部２２に螺着してボックスカバー１１を配線用ボックス１２の開口側に取り付け、ボックスカバー１１と配線用ボックス１２とよりなる配線用ボックス装置を構成する。
【００２７】
次いで、コンクリート壁Ｗを構築するために一対の型枠（図示せず）を立設し、一方の型枠の裏面に塗代部１３の前面全体が密接するように、配線用ボックス１２を図示しない支持手段により型枠内に支持させる。そして、一対の型枠の間にコンクリートが打設されると、配線用ボックス１２及びボックスカバー１１がコンクリート内に埋設される。
【００２８】
このとき、ボックスカバー１１の第１基板面１１Ａにおいて、塗代部１３以外はコンクリート壁Ｗ内に埋め込まれ、該塗代部１３の前端面のみがコンクリート壁Ｗの表面に臨む。すると、コンクリート壁Ｗの壁面には、配線器具３０設置用の最小限の大きさの開口１１ａのみが形成される。また、ボックスカバー１１において、基板１０の枠部の幅は十分な長さを有するため、コンクリート打設圧によって枠部、ひいては基板１０が変形等することが防止される。これは、ボックスカバー１１における塗代部１３が形成された第１基板面１１Ａは、コンクリート壁Ｗに配線器具３０を設置するとき使用するのに適した構成を有しているといえる。
【００２９】
コンクリートが硬化した後に、一対の型枠を除去すると、図４に示すように、コンクリート壁Ｗが構築されるとともに、そのコンクリート壁Ｗにボックスカバー１１及び配線用ボックス１２（配線用ボックス装置）が埋設される。この埋設状態では、塗代部１３の前端面と、該塗代部１３側に開放された挿通孔１４ｂとがコンクリート壁Ｗの壁面に露出している。
【００３０】
そして、配線器具３０を保持した配線器具枠２３の上下各ビス孔２３ｂに取付ビス２８を挿通し、該取付ビス２８をコンクリート壁Ｗに臨む挿通孔１４ｂから取付部１４内へ挿通するとともに、該取付ビス２８をナットＮに螺合し、取付ビス２８を取付部１４に螺着する。その結果、配線器具枠２３の後面が塗代部１３の前端面に当接し、該配線器具枠２３が基板１０から離間した位置に支持される。そして、ボックスカバー１１に、配線器具枠２３を介して配線器具３０が取着され、コンクリート壁Ｗに配線器具３０が設置される。
【００３１】
次いで、軽量間仕切り壁Ｋに配線器具３０を設置するためのボックスカバー１１の使用方法について説明する。まず、図５に示すように、建物内に立設された柱３１の側面に、配線用ボックス１２の内側から図示しない釘を打ち付け、柱３１に配線用ボックス１２を取り付ける。次に、基板１０における平板状をなす面（第２基板面１１Ｂ）が、配線用ボックス１２の前側に露出し、塗代部１３側が配線用ボックス１２内に収容されるようにボックスカバー１１を配線用ボックス１２の開口側に配置する。
【００３２】
このとき、取付孔１５ａとボス孔２２ａとの位置が合致しないため、ボス部２２と対応する位置にあるノックアウト部１５を、ボックスカバー１１から打ち抜き除去し、基板１０に長溝を形成する。そして、その開放されたノックアウト部１５内でビス２４の位置を調整し、該ビス２４を各ボス孔２２ａに挿通するとともに、ボス部２２に螺着してボックスカバー１１を配線用ボックス１２の開口側に取り付ける。すると、ボックスカバー１１と配線用ボックス１２よりなる配線用ボックス装置が構成される。
【００３３】
次に、一対の壁材３２を配線用ボックス１２の前後（図５では前側の壁材３２のみ図示）に立設させて該一対の壁材３２により軽量間仕切り壁Ｋが構築される。なお、壁材３２を立設するとき、前側の壁材３２の裏面に、基板１０の第２基板面１１Ｂを当接させ、開口１１ａを前側の壁材３２に近づける。
【００３４】
そして、前側の壁材３２において、ボックスカバー１１の開口１１ａ周縁部が軽量間仕切り壁Ｋの前面に臨むように該前側の壁材３２を切除する。次に、配線器具３０を保持した配線器具枠２３の上下各ビス孔２３ｂに取付ビス２８を挿通し、該取付ビス２８を基板１０の第２基板面１１Ｂ側に開放された各挿通孔１４ｂから取付部１４内へ挿通するとともに、該取付ビス２８をナットＮに螺合し、取付部１４に螺着する。その結果、配線器具枠２３の裏面が前側の壁材３２に当接した状態で該配線器具枠２３がボックスカバー１１に取付けられ、軽量間仕切り壁Ｋに配線器具３０が設置される。
【００３５】
ここで、塗代部１３が立設された第１基板面１１Ａ側を、配線用ボックス１２内から露出させてボックスカバー１１を使用し、軽量間仕切り壁Ｋに配線器具３０を設置した場合、壁材３２の厚みに加え、塗代部１３の厚み分だけ配線用ボックス１２が前側の壁材３２から離れる。これは、前側の壁材３２の前面に設置されることとなる配線器具３０が、配線用ボックス１２から離れてしまい、配線器具３０において配線用ボックス１２内に収容される部位が少なくなってしまい好適ではない。
【００３６】
これに対し、ボックスカバー１１の第２基板面１１Ｂを使用したとき、該第２基板面１１Ｂは塗代部１３が立設されず平板状をなすため、第１基板面１１Ａを使用した場合と比較して、ボックスカバー１１を介した配線用ボックス１２を壁材３２裏面に近づけることができる。このことは、塗代部１３の厚み分だけ、配線用ボックス１２内に収容される配線器具３０の部位を多くすることができる。
【００３７】
従って、第２基板面１１Ｂを使用することは、配線器具３０を軽量間仕切り壁Ｋに設置することに好適である。その結果、ボックスカバー１１における塗代部１３側が形成されていない第２基板面１１Ｂは、軽量間仕切り壁Ｋに配線器具３０を設置するとき使用するのに適した構成を有しているといえる。
【００３８】
上記第１実施形態によれば、以下のような効果を得ることができる。
（１）ボックスカバー１１は基板１０の第１基板面１１Ａに塗代部１３が立設され、第２基板面１１Ｂは、塗代部１３が立設されず平板状をなしている。そして、配線器具３０が設置される建物壁のタイプ（コンクリート壁Ｗ又は軽量間仕切り壁Ｋ）に対応させてボックスカバー１１の使用面（言い換えると配線用ボックス１２への取付面）を変更して使用することができる。従って、建物壁のタイプに応じて別々のボックスカバー１１を準備する必要がなく、ボックスカバー１１の選択といった煩わしい作業を省くことができる。
【００３９】
（２）取付部１４の両面側に挿通孔１４ｂが開放され、取付部１４内においては挟持面１４ｃによってナットＮが基板１０の両面側から挟持されている。即ち、ナットＮの前後両面には、それぞれ挟持面１４ｃが当接している。このため、ナットＮに取付ビス２８が螺合された状態で、該取付ビス２８を取付部１４から引き抜く方向（ナットＮの前方又は後方）への力が作用しても、ナットＮには挟持面１４ｃが当接しているため、ナットＮが取付部１４内で移動することなく、取付部１４から抜脱することが防止できる。従って、ボックスカバー１１をどちらの面（第１基板面１１Ａ又は第２基板面１１Ｂ）で使用しても、配線器具枠２３のボックスカバー１１に対する取付状態を維持することができ、配線器具３０の設置状態を維持することができる。
【００４０】
（３）ナットＮは取付部１４に凹設された凹部１４ａ内に圧入することにより、取付部１４内に配設されている。従って、ナットＮを挟持面１４ｃにより確実に挟持することができ、ナットＮの取付部１４内での移動を確実に防止できる。
【００４１】
（第２実施形態）
図６〜図１０においては第２実施形態を示す。
図６及び図７（ａ）、（ｂ）に示すように、ボックスカバー４０は略四角枠状の基板４１を備え、該基板４１の中央部には開口４１ａが形成されている。また、基板４１の枠部における一方の面（第１基板面４１Ａ）には塗代部４３が設けられ、基板４１の枠部における他方の面（第２基板面４１Ｂ）は平面状をなしている。図８に示すように、前記塗代部４３には取付部４４が設けられ、該取付部４４には、第１実施形態と同様にナットＮが配設されている。なお、ナットＮの前後両面は、それぞれ挟持面４４ａが当接し、それら一対の挟持面４４ａによって挟持されているが、ナットＮはそれぞれボックスカバー４０の成形時にインサート成形により取付部４４に配設される。
【００４２】
各取付部４４には挿通孔４４ｂが貫通し、該挿通孔４４ｂは基板４１の両面側に開放されている。図７（ａ）、（ｂ）に示すように、ボックスカバー４０にはノックアウト部４５が四箇所に設けられ、第１実施形態と同様に、取付孔４５ａが穿設されている。
【００４３】
基板４１の第１基板面４１Ａの四側縁部にはリブ４６が設けられ、上下に相対向する一対のリブ４６の内面には係合凹所４６ａが凹設されている。図６に示すように、これら係合凹所４６ａは、配線用ボックス１２の開口側において、各側壁の両端側に突設された係合突起２０ａに係合可能になっている。
【００４４】
この第２実施形態のボックスカバー４０において、図９に示すように、基板４１の枠部が平板状に形成された第２基板面４１Ｂは、軽量間仕切り壁Ｋに配線器具３０を設置するために使用される。一方、図１０に示すように、ボックスカバー４０において、枠部に塗代部４３が形成された第１基板面４１Ａは、コンクリート壁Ｗに配線器具３０を設置するために使用される。
【００４５】
なお、図９に示すように、第２基板面４１Ｂを使用して軽量間仕切り壁Ｋに配線器具３０を設置するべく、ボックスカバー４０を配線用ボックス１２に取付けるとき、係合凹所４６ａを係合突起２０ａに係合させる。すると、ボックスカバー４０が配線用ボックス１２にワンタッチで取付けられる。
【００４６】
従って、第２実施形態のボックスカバー４０によれば、第１実施形態の（１）及び（２）と同様の効果を発揮できることに加え、係合凹所４６ａと係合突起２０ａとの係合により、ボックスカバー４０の配線用ボックス１２に対する取付作業を容易に行うことができる。また、基板４１の第１基板面４１Ａを使用した場合、リブ４６がボックスカバー４０の前方へ突出する状態となるが、リブ４６はコンクリート壁Ｗ内に埋設されるため、該リブ４６がコンクリート壁Ｗに露出したりして美観の低下を招くことはない。
【００４７】
さらに、ナットＮはボックスカバー４０の成形時のインサート成形により、取付部４４内に配設されている。従って、ナットＮを挟持面４４ａにより確実に挟持することができ、ナットＮの取付部４４内での移動を確実に防止できる。
【００４８】
なお、上記実施形態は以下のように変更してもよい。
○第２実施形態において、ボックスカバー４０のリブ４６、係合凹所４６ａ及び配線用ボックス１２の係合突起２０ａを省略し、ビス２４とボス部２２との螺合によりボックスカバー４０を配線用ボックス１２に取り付けてもよい。
【００４９】
○第１実施形態において、ボックスカバー１１にリブ４６、係合凹所４６ａを設け、配線用ボックス１２に係合突起２０ａを設けてボックスカバー１１を配線用ボックス１２にワンタッチで取付け可能とする構成としてもよい。
【００５０】
○ノックアウト部１５，４５を省略してもよい。
○建物壁として軽量間仕切り壁Ｋに配線器具３０を設置するためにボックスカバー１１，４０の第２基板面１１Ｂ，４１Ｂを使用したが、真壁や軽量間仕切り壁Ｋ以外の壁に配線器具３０を設置する際に、ボックスカバー１１，４０の第２基板面１１Ｂ，４１Ｂを用いてもよい。
【００５１】
○各実施形態では、取付部１４，４４内にナットＮを配設する構成としたが、ナットＮを省略し、挿通孔１４ｂ，４４ｂの内周面に取付ビス２８を強制螺入して取付部１４，４４に取付ビス２８を固定する構成としてもよい。
【００５２】
次に、上記実施形態及び別例から把握できる技術的思想について以下に追記する。
（１）請求項１〜請求項４のいずれか一項に記載のボックスカバーを配線用ボックスの開口側に取付けて構成され、配線用ボックスの前面側に配置される面を変更することが可能である配線用ボックス装置。
【図面の簡単な説明】
【００５３】
【図１】第１実施形態のボックスカバー及び配線用ボックスを示す斜視図。
【図２】（ａ）はボックスカバーの一方の面を示す図、（ｂ）はボックスカバーの他方の面を示す図。
【図３】ボックスカバーの塗代部、取付部等を示す図２（ａ）の３−３線断面図。
【図４】コンクリート壁におけるボックスカバーの使用状態を示す断面図。
【図５】軽量間仕切り壁におけるボックスカバーの使用状態を示す断面図。
【図６】第２実施形態のボックスカバー及び配線用ボックスを示す斜視図。
【図７】（ａ）はボックスカバーの他方の面を示す図、（ｂ）はボックスカバーの一方の面を示す図。
【図８】ボックスカバーの塗代部、取付部等を示す図７（ａ）の８−８線断面図。
【図９】軽量間仕切り壁におけるボックスカバーの使用状態を示す断面図。
【図１０】コンクリート壁におけるボックスカバーの使用状態を示す断面図。
【符号の説明】
【００５４】
Ｋ…建物壁としての軽量間仕切り壁、Ｎ…ナット、Ｗ…建物壁としてのコンクリート壁、１０，４１…基板、１１，４０…ボックスカバー、１１Ａ、４１Ａ…一方の面としての第１基板面、１１Ｂ，４１Ｂ…他方の面としての第２基板面、１２…配線用ボックス、１３，４３…塗代部、１４，４４…取付部、１４ａ…凹部、２３…配線器具枠、２８…取付ビス、３０…配線器具。
【図１】
2005253238.tif 000003
【図２】
2005253238.tif 000004
【図３】
2005253238.tif 000005
【図４】
2005253238.tif 000006
【図５】
2005253238.tif 000007
【図６】
2005253238.tif 000008
【図７】
2005253238.tif 000009
【図８】
2005253238.tif 000010
【図９】
2005253238.tif 000011
【図１０】
2005253238.tif 000012